【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
画像形成処理における複数の機能を備えた画像形成装置であって、
前記機能の設定に関する情報である第１の設定データ及び描画データを含む印刷データを受信する受信手段と、
前記受信手段が受信した印刷データに含まれる前記第１の設定データを基に、無効となる機能の有無を判断する無効機能判断手段と、
前記無効機能判断手段が無効となる機能が有ると判断した場合に、前記無効となる機能に応じて所定の機能を前記第１の設定データに対して再設定することで第２の設定データを生成する再設定手段と、
前記再設定手段が生成した前記第２の設定データと、前記描画データとを基に出力媒体に対して画像形成処理を行う画像形成手段と
を具備することを特徴とする画像形成装置。
【請求項２】
前記再設定手段における再設定に関する内容を出力する出力手段を更に具備することを特徴とする請求項１に記載の画像形成装置。
【請求項３】
前記出力手段として前記画像形成手段を用いることを特徴とする請求項２に記載の画像形成装置。
【請求項４】
前記再設定手段は、各機能間に付与された優先順位に関する情報を基に、前記無効となる機能に応じて所定の機能を前記第１の設定データに対して再設定することで第２の設定データを生成することを特徴とする請求項１乃至３のいずれか１項に記載の画像形成装置。
【請求項５】
前記出力手段は、前記再設定に関する内容と合わせて、前記印刷ジョブに関する情報、前記再設定以外に可能な他の再設定に関する情報、及び前記印刷ジョブの所有者に関する情報の少なくともいずれか１つを出力することを特徴とする請求項２乃至４のいずれか１項に記載の画像形成装置。
【請求項６】
前記印刷ジョブに当該印刷ジョブの所有者の連絡先に関する情報が含まれており、かつ、前記再設定手段により再設定の処理が行われた場合に、前記再設定に関する内容を前記連絡先に通知する通知手段を更に具備することを特徴とする請求項１乃至５のいずれか１項に記載の画像形成装置。
【請求項７】
画像形成処理における複数の機能を備えた画像形成装置であって、
前記機能の設定に関する情報である第１の設定データ及び描画データを含む印刷データを受信する受信手段と、
前記受信手段が受信した印刷データに含まれる前記第１の設定データを基に、無効となる機能の有無を判断する無効機能判断手段と、
前記無効機能判断手段が無効となる機能が有ると判断した場合に、前記無効となる機能に対して適切な機能の再設定を示す再設定情報、前記印刷データに関する情報、及び前記印刷データの依頼元に関する情報の少なくとも１つと、前記無効となる機能に関する情報である無効機能情報とを出力する出力手段と
を具備することを特徴とする画像形成装置。
【請求項８】
前記描画データ及び前記第１の設定データ、及び前記無効機能情報を一時的に保持するデータ保持手段と、
前記データ保持手段に保持されている前記第１の設定データを基に作成された無効となる機能を含まない第２の設定データを得た場合に、前記第２の設定データと、前記データ保持手段に保持されている前記描画データとを基に出力媒体に対して画像形成処理を行う画像形成手段と
を更に具備することを特徴とする請求項７に記載の画像形成装置。
【請求項９】
前記出力手段が前記無効となる機能に対して適切な機能の再設定を示す再設定情報を出力する場合に、各機能に付与された優先順位を基に、前記無効となる機能に対して適切な機能の再設定を定める再設定手段を更に具備することを特徴とする請求項７又は８に記載の画像形成装置。
【請求項１０】
前記データ保持手段に保持されている前記第１の設定データを基に作成された無効となる機能を含まない第２の設定データを得るための手段として、
前記印刷データを特定する情報を入力するための入力手段と、
前記入力手段により特定された前記印刷データに含まれる前記第１の設定データにおいて無効となった機能の再設定を入力するための設定入力手段と
を更に具備することを特徴とする請求項８に記載の画像形成装置。
【請求項１１】
前記印刷データは、ネットワークを介して利用者端末から送信されたものである場合に、前記データ保持手段に保持されている前記第１の設定データを基に作成された無効となる機能を含まない第２の設定データを得るための手段として、
前記第１の設定データにおける無効となる機能の再設定を利用者に促す再設定画面を前記利用者端末に表示するための再設定プログラムを生成する生成手段と、
前記生成手段が生成した前記再設定プログラムを前記利用者端末へ送信する送信手段と
を具備することを特徴とする請求項８に記載の画像形成装置。
【請求項１２】
画像形成処理における複数の機能を備えた画像形成装置を利用した画像形成方法であって、
前記機能の設定に関する情報である第１の設定データ及び描画データを含む印刷データを受信する受信ステップと、
前記受信ステップで受信した印刷データに含まれる前記第１の設定データを基に、無効となる機能の有無を判断する無効機能判断ステップと、
前記無効機能判断ステップで無効となる機能が有ると判断した場合に、前記無効となる機能に応じて所定の機能を前記第１の設定データに対して再設定することで第２の設定データを生成する再設定ステップと、
前記再設定ステップで生成した前記第２の設定データと、前記描画データとを基に出力媒体に対して画像形成処理を行う画像形成ステップと
を有することを特徴とする画像形成方法。
【請求項１３】
前記再設定ステップにおける再設定に関する内容を出力する出力ステップを更に有することを特徴とする請求項１２に記載の画像形成方法。
【請求項１４】
画像形成処理における複数の機能を備えた画像形成装置を用いた画像形成方法であって、
前記機能の設定に関する情報である第１の設定データ及び描画データを含む印刷データを受信する受信ステップと、
前記受信ステップで受信した印刷データに含まれる前記第１の設定データを基に、無効となる機能の有無を判断する無効機能判断ステップと、
前記無効機能判断ステップで無効となる機能が有ると判断した場合に、前記無効となる機能に対して適切な機能の再設定を示す再設定情報、前記印刷データに関する情報、及び前記印刷データの依頼元に関する情報の少なくとも１つと、前記無効となる機能に関する情報である無効機能情報とを出力する出力ステップと
を有することを特徴とする画像形成方法。
【請求項１５】
前記画像形成装置が前記描画データ及び前記第１の設定データ及び前記無効機能情報を一時的に保持するデータ保持手段を備え、前記データ保持手段に保持されている前記第１の設定データを基に作成された無効となる機能を含まない第２の設定データを得た場合に、前記第２の設定データと、前記データ保持手段に保持されている前記描画データとを基に出力媒体に対して画像形成処理を行う画像形成ステップとを更に有することを特徴とする請求項１４に記載の画像形成方法。
【請求項１６】
請求項１２乃至１５のいずれか１項に記載の画像形成方法をコンピュータに実行させるためのプログラム。
【請求項１７】
設定データを含む印刷データを受信する受信手段と、
前記受信手段により受信した設定データに基づき機能の競合があるか否かを判別する判別手段と、
前記判別手段により機能の競合があると判別された場合、無効にされた機能と、無効にされた機能を有効にするための方法と、を出力する出力手段と
を有することを特徴とする印刷装置。
【請求項１８】
設定データを含む印刷データを受信する受信手段と、
前記受信手段により受信した設定データに基づき機能の競合があるか否かを判別する判別手段と、
前記判別手段により機能の競合があると判別された場合、設定データを再設定させる再設定手段と
を有することを特徴とする印刷装置。
【手続補正２】
【補正対象書類名】明細書
【補正対象項目名】発明の名称
【補正方法】変更
【補正の内容】
【発明の名称】画像形成装置、画像形成方法、プログラム及び印刷装置
【手続補正３】
【補正対象書類名】明細書
【補正対象項目名】０００１
【補正方法】変更
【補正の内容】
【０００１】
本発明は、画像形成装置、画像形成方法、プログラム及び印刷装置に関する。
【手続補正４】
【補正対象書類名】明細書
【補正対象項目名】００１０
【補正方法】変更
【補正の内容】
【００１０】
本発明は、上述した事情を考慮してなされたもので、ダイレクトプリントにおけるコンフリクト等の印刷処理不可能な設定に対し、適切な対応処理を行う、またはユーザに適切な対応処理をさせることを目的とする。
【手続補正５】
【補正対象書類名】明細書
【補正対象項目名】００２０
【補正方法】変更
【補正の内容】
【００２０】
また、本発明による画像形成方法においては、画像形成処理における複数の機能を備えた画像形成装置を利用した画像形成方法であって、機能の設定に関する情報である第１の設定データ及び描画データを含む印刷データを受信する受信ステップと、受信ステップで受信した印刷データに含まれる第１の設定データを基に、無効となる機能の有無を判断する無効機能判断ステップと、無効機能判断ステップで無効となる機能が有ると判断した場合に、無効となる機能に応じて所定の機能を第１の設定データに対して再設定することで第２の設定データを生成する再設定ステップと、再設定ステップで生成した第２の設定データと、描画データとを基に出力媒体に対して画像形成処理を行う画像形成ステップとを有することを特徴とする。
【手続補正６】
【補正対象書類名】明細書
【補正対象項目名】００２２
【補正方法】変更
【補正の内容】
【００２２】
また、本発明によるプログラムは、請求項１２乃至１５のいずれか１項に記載の画像形成方法をコンピュータに実行させるためのプログラムである。
また、本発明は、設定データを含む印刷データを受信する受信手段と、前記受信手段により受信した設定データに基づき機能の競合があるか否かを判別する判別手段と、前記判別手段により機能の競合があると判別された場合、無効にされた機能と、無効にされた機能を有効にするための方法と、を出力する出力手段とを有することを特徴とする。
また、本発明は、設定データを含む印刷データを受信する受信手段と、前記受信手段により受信した設定データに基づき機能の競合があるか否かを判別する判別手段と、前記判別手段により機能の競合があると判別された場合、設定データを再設定させる再設定手段とを有することを特徴とする。
【手続補正７】
【補正対象書類名】明細書
【補正対象項目名】００２３
【補正方法】変更
【補正の内容】
【００２３】
本発明によれば、ダイレクトプリントにおけるコンフリクト等の印刷処理不可能な設定に対し、適切な対応処理を行う、またはユーザに適切な対応処理をさせることができる。